(57)【要約】【課題】  フィルタ用フィルムを備えるプラズマディスプレイモジュール及びそれを備えるプラズマディスプレイ装置を提供すること。【解決手段】プラズマディスプレイパネルと、前側にはプラズマディスプレイパネルが結合され、後側にはプラズマディスプレイパネルを駆動する回路が配線された基板が配置されるシャーシベースと、プラズマディスプレイパネルの前部に配置されるフィルタ用フィルムと、を備えるプラズマディスプレイモジュールが提供される。【選択図】  図２
2006091844.tif 000002
【特許請求の範囲】
【請求項１】
プラズマディスプレイパネルと、
前側には前記プラズマディスプレイパネルが結合され、後側には前記プラズマディスプレイパネルを駆動する回路が配線された基板が配置されるシャーシベースと、
前記プラズマディスプレイパネルの前部に配置されるフィルタ用フィルムと、を備えるプラズマディスプレイモジュール。
【請求項２】
ウィンドウが形成された前部ケースと、
前記前部ケースと共に内部空間を限定する後部ケースと、
前記内部空間に配置されるプラズマディスプレイパネルと、
前側には前記プラズマディスプレイパネルが結合され、後側には前記プラズマディスプレイパネルを駆動する回路が配線された基板が配置されるシャーシベースと、
前記プラズマディスプレイパネルの前部に配置され、前記ウィンドウを覆うフィルタ用フィルムと、を備えるプラズマディスプレイ装置。
【請求項３】
前記前部ケースと前記フィルタ用フィルムとの間に介在する遮蔽部材をさらに備えることを特徴とする、請求項２に記載のプラズマディスプレイ装置。
【請求項４】
前記遮蔽部材は、導電性部材であることを特徴とする、請求項３に記載のプラズマディスプレイ装置。
【請求項５】
前記遮蔽部材は、伸縮性部材であることを特徴とする、請求項３に記載のプラズマディスプレイ装置。
【請求項６】
前記遮蔽部材は、スポンジＥＭＩであることを特徴とする、請求項３に記載のプラズマディスプレイ装置。
【請求項７】
前記前部ケースは、導電性部材であることを特徴とする、請求項２に記載のプラズマディスプレイ装置。
【請求項８】
前記前部ケースは、金属を含んで形成されることを特徴とする、請求項７に記載のプラズマディスプレイ装置。
【請求項９】
前記前部ケースと前記フィルタ用フィルムとの間に介在するフィルタホルダーをさらに備えることを特徴とする、請求項２に記載のプラズマディスプレイ装置。
【請求項１０】
前記フィルタホルダーは、導電性部材であることを特徴とする、請求項９に記載のプラズマディスプレイ装置。
【請求項１１】
前記シャーシベースの後側に固定され、前記シャーシベースと前記フィルタホルダーとを結合させるために配置されるブラケットをさらに備えることを特徴とする、請求項９に記載のプラズマディスプレイ装置。
【請求項１２】
前記ブラケットは、導電性部材であることを特徴とする、請求項１１に記載のプラズマディスプレイ装置。
【請求項１３】
前記ブラケットは、前記シャーシベースの上下方向を横切って延在することを特徴とする、請求項１１に記載のプラズマディスプレイ装置。
【請求項１４】
前記シャーシベースの後側に固定され、前記シャーシベースと前記前部ケースとを結合させるために配置されるブラケットをさらに備えることを特徴とする、請求項２に記載のプラズマディスプレイ装置。
【請求項１５】
前記ブラケットは、導電性部材であることを特徴とする、請求項１４に記載のプラズマディスプレイ装置。
【請求項１６】
前記ブラケットは、前記シャーシベースの上下方向を横切って延在することを特徴とする、請求項１４に記載のプラズマディスプレイ装置。
【請求項１７】
前記前部ケースは、プラスチックを含んで形成されることを特徴とする、請求項２に記載のプラズマディスプレイ装置。
【発明の詳細な説明】
【技術分野】
【０００１】
本発明はプラズマディスプレイ装置に係り、さらに詳細には、フィルタ用フィルムを備えるプラズマディスプレイモジュール及びそれを備えるプラズマディスプレイ装置に関する。
【背景技術】
【０００２】
図１に示す従来のプラズマディスプレイ装置１は、ウィンドウ１２を画定する周辺部１１を備えた前部ケース１０、ウィンドウ１２を覆う電磁波遮蔽フィルタ２０、電磁波遮蔽フィルタ２０を前部ケース１０の周辺部１１に対して加圧するようにネジ２３によって前部ケース１０の結合ボス１３に固定する導電性フィルタホルダー３２、フィルタホルダー３２の後側に配置され、前面パネル５１と後面パネル５２と、を備えたプラズマディスプレイパネル（ＰＤＰ：Ｐｌａｓｍａ Ｄｉｓｐｌａｙ Ｐａｎｅｌ）５０、前記ＰＤＰ５０を支持するシャーシベース６０、前記シャーシベース６０の後側に設置されて前記ＰＤＰ５０を駆動する回路部（図示せず）と前記ＰＤＰ５０と、を連結する連結ケーブル６１、及び前記シャーシベース６０の後側に配置され、前記前部ケース１０と結合される後部ケース４０を備える。前記ＰＤＰ５０と前記シャーシベース６０との間には、熱伝導シート５５が介在する。
【０００３】
ところが、前記のような構造を有するプラズマディスプレイ装置１の場合には、前記ＰＤＰ５０の駆動時、電磁波が発生するため、電磁波遮蔽フィルタ２０が設置される。このような電磁波遮蔽フィルタ２０としては、ガラスフィルタが一般的に使われる。しかし、ガラスフィルタは、ガラス基板を利用して形成し、ウィンドウ１２全体を覆うため、寸法が大きくて重量が非常に重い。特に、ＰＤＰが大型化されるにつれて、ガラスフィルタの寸法及び厚さが増加して重量が増加するだけでなく、ガラスフィルタのコストが高価になるという問題点がある。
【発明の開示】
【発明が解決しようとする課題】
【０００４】
本発明は、前記問題点を解決して、重量が少ないだけでなく、低廉なフィルタ用フィルムを備えるプラズマディスプレイモジュールを提供することを目的とする。
【０００５】
また、本発明は、前記フィルタ用フィルムの安定した接地が可能なプラズマディスプレイ装置を提供することを他の目的とする。
【課題を解決するための手段】
【０００６】
前記目的及びその他の目的を達成するために、本発明は、ＰＤＰと、前側には前記ＰＤＰが結合され、後側には前記ＰＤＰを駆動する回路が配線された基板が配置されるシャーシベースと、前記ＰＤＰの前部に配置されるフィルタ用フィルムと、を備えるプラズマディスプレイモジュールを提供する。
【０００７】
また、本発明のさらに他の側面によれば、ウィンドウが形成された前部ケースと、前記前部ケースと共に内部空間を限定する後部ケースと、前記内部空間に配置されるＰＤＰと、前側には前記ＰＤＰが結合され、後側には前記ＰＤＰを駆動する回路が配線された基板が配置されるシャーシベースと、前記ＰＤＰの前部に配置され、前記ウィンドウを覆うフィルタ用フィルムと、を備えるプラズマディスプレイ装置を提供する。
【０００８】
本発明において、プラズマディスプレイ装置は、前記前部ケースと前記フィルタ用フィルムとの間に介在するフィルタホルダーをさらに備え得る。このとき、前記フィルタホルダーは、導電性部材であることが望ましい。
【発明の効果】
【０００９】
本発明によれば、プラズマディスプレイモジュールに備えられたフィルタ用フィルムによって、重量が減少する。また、フィルタホルダーが前部ケースに結合されないので、プラズマディスプレイ装置の製造に必要なコスト及び時間が低減するという長所がある。さらに、別途の導電性フィルタホルダーを配置する場合、プラズマディスプレイ装置の接地構造が向上する。
【発明を実施するための最良の形態】
【００１０】
以下、添付された図面を参照して本発明をさらに詳細に説明する。
【００１１】
図２及び図３を参照して、本発明の第１実施例によるプラズマディスプレイ装置１００について詳細に説明する。
【００１２】
図２に示すように、プラズマディスプレイ装置１００は、ウィンドウ１１２が形成された前部ケース１１０、前記前部ケース１１０と結合して、前記前部ケース１１０と共に内部空間１１５を画定する後部ケース１２０と、前記内部空間１１５に配置されるプラズマディスプレイモジュール１５０と、を備える。
【００１３】
前記前部ケース１１０及び前記後部ケース１２０は結合されて、前記内部空間１１５に配置された前記プラズマディスプレイモジュール１５０を保護するために配置される。また、スタンド装置（図示せず）は、前記プラズマディスプレイモジュール１５０と結合して、前記プラズマディスプレイモジュール１５０を上下に支持する。
【００１４】
前記プラズマディスプレイモジュール１５０は、ＰＤＰ１５３と、前側には前記ＰＤＰ１５３が結合され、後側には前記ＰＤＰ１５３を駆動する回路が配線された基板１４０が配置されるシャーシベース１３０と、前記ＰＤＰ１５３の前部に配置され、前記ウィンドウ１１２を覆うフィルタ用フィルム１６０と、を備える。
【００１５】
前記ＰＤＰ１５３は、第１パネル１５１と、前記第１パネル１５１と結合する第２パネル１５２と、を備える。前記第１パネル１５１は、前面基板と、前面基板の下面に形成された維持電極（図示せず）と、前記維持電極を覆っている第１誘電層（図示せず）と、第１誘電層上に形成された保護層（図示せず）と、を備え、第２パネル１５２は、背面基板（図示せず）と、背面基板の上面に前記維持電極と交差して形成されたアドレス電極（図示せず）と、アドレス電極を覆っている第２誘電層（図示せず）と、第２誘電層上に形成された隔壁（図示せず）と、隔壁によって画定される放電セル内に塗布された蛍光体層（図示せず）と、を備えることが望ましい。このような前記ＰＤＰ１５３の構造は、３電極面放電形態であるが、本発明は、これに限定されず、２電極対向放電構造などの多様な方法で画像を映し得る。前記ＰＤＰ１５３の構造及び駆動方法は、当業者には自明であるので、ここでは詳細に説明しない。
【００１６】
鋳造、プレス加工によって製造し得る前記シャーシベース１３０は、前記ＰＤＰ１５３及び回路基板１４０を支持する。前記シャーシベース１３０は、前記ＰＤＰ１５３から伝えられる熱を外部に効果的に放出するために、アルミニウムのように熱伝導率の高い金属を利用して形成されることが望ましい。このような前記ＰＤＰ１５３と前記シャーシベース１３０とは、両面テープ１４１を利用して互いに接着される。
【００１７】
前記ＰＤＰ１５３と前記シャーシベース１３０との間には、熱伝導率の高い熱伝導シート１４２が介在して、前記ＰＤＰ１５３から発生する熱を前記シャーシベース１３０に伝達する。ここで、前記熱伝導シート１４２としては、シリコンガラス、シリコン放熱シート、アクリル系放熱減圧接着剤シート、ウレタン系放熱減圧接着剤シートを使用し得る。
【００１８】
ＰＤＰが大型化されるにつれて、シャーシベースの寸法も大きくなる。しかし、シャーシベースの寸法が大きくなる場合、外部荷重によってシャーシベースにバックリングが発生する危険が高まるので、構造上の安定性が低下する。また、ＰＤＰの駆動時、シャーシベースの温度が高まるため、シャーシベースが熱膨張を起こして前方又は後方に曲がる。もし、シャーシベースが曲がる場合、ＰＤＰを安定して支持できないだけでなく、シャーシベースとＰＤＰとの間に浮きが生じる。したがって、ＰＤＰから発生する熱が効果的にシャーシベースに伝わらなくなる。このような問題点を解決するために、前記シャーシベース１３０の後側に複数の補強部材１４５が配置される。前記補強部材１４５は、多様な形状の横断面を有し、一方向に長く形成される。
【００１９】
前記シャーシベース１３０の後側には、上下方向を横切って配置されるブラケット１５５が配置される。前記ブラケット１５５とシャーシベースとの間には、支持部材１６３が配置され、前記シャーシベース１３０に前記ブラケット１５５を固定する。前記各ブラケット１５５は、前記シャーシベース１３０の背後では前記シャーシベース１３０の上下方向に平行に延在しており、前記シャーシベース１３０の上下エッジで折曲されて両端部がネジ１６６を利用して前記前部ケース１１０と結合される。前記ブラケット１５５は、アルミニウム又は鋼鉄のような剛性部材より形成され、前記前部ケース１１０の結合ボス１１１と結合されて、前記プラズマディスプレイモジュール１５０と両ケース１１０，１２０とを構造的に固定する機能を行う。また、前記ブラケット１５５が導電性部材である場合、前記前部ケース１１０と前記シャーシベース１３０とを電気的に連結し、接地機能を行う。
【００２０】
前記シャーシベース１３０の後側には、前記ＰＤＰ１５３を駆動する前記回路基板１４０が配置される。このような前記回路基板１４０には、前記ＰＤＰ１５３を駆動する部品１４７が装着されている。ここで、前記部品１４７とは、ディスプレイパネルに電源を供給するための部品及びディスプレイパネルに画像を映すための信号を印加する部品など各種の部品を意味する。前記回路基板１４０は、テープキャリアパッケージのような連結ケーブル１６１によって前記ＰＤＰ１５３と電気的に連結される。
【００２１】
図１と図２とを比較することによって容易に分かるように、本発明の第１実施例による前記プラズマディスプレイ装置１００は、ガラスフィルタ２０と、それを前部ケースの周辺部１１に対して加圧するフィルタホルダー３２と、を備えない。但し、前記のような前記ＰＤＰ１５３の作動時には、見過ごせない量の電磁波が発生するが、この電磁波は、人体に有害であるだけでなく、隣接した電子機器の誤作動を誘発する恐れがあるので、前記プラズマディスプレイ装置１００の外部に放出される電磁波の量が低減されねばならない。本実施例による前記プラズマディスプレイ装置１００は、プラズマディスプレイ装置の外部に放出される電磁波の量を低減させる前記フィルタ用フィルム１６０を備える。
【００２２】
前記フィルタ用フィルム１６０は、前記ＰＤＰ１５３の前面に配置され、薄膜のフィルムである。このような前記フィルタ用フィルム１６０は、電磁波遮蔽以外に多様な機能を行うが、これは、フィルタ用フィルムを多層構造に形成することによって可能になる。例えば、ＴＡＣ（Ｔｒｉａｃｅｔｙｌｃｅｌｌｕｏｓｅ）、ＰＥＴ（Ｐｏｌｙ Ｅｔｈｙｌｅｎｅ Ｔｅｒｅｐｈｔｈａｌａｔｅ）、ＰＢＴ（Ｐｏｌｙ Ｂｕｔｙｌｅｎｅ Ｔｅｒｅｐｈｔｈａｌａｔｅ）、ＰＥＮ（Ｐｏｌｙ Ｅｔｈｙｌｅｎｅ Ｎａｐｈｔｈａｌａｔｅ）系で形成されたベースフィルム間に電磁波遮蔽層、平坦層、近赤外線遮蔽層、乱反射防止層を選択的に形成することによって、従来のガラスフィルタの機能を効果的に行える。これを詳細に説明すれば、次の通りである。
【００２３】
電磁波遮蔽層（図示せず）は、導電体を利用して少なくとも前記ウィンドウ１１２に対向する中央部分をメッシュ状に形成し得る。ベースフィルム上に所定の厚さを有する導電体層（例えば、銅、銀より形成された金属層）を形成した後、この導電体層の中央部分を所定のパターン（例えば、メッシュ状）でエッチングすることによって電磁波遮蔽層を形成できる。メッシュのピッチとメッシュを形成する線の幅とは、エッチング時に使われるレジスト層のパターンを変更するにつれて変わり得る。しかし、透明な導電性物質をベースフィルムに全面塗布して透明層を形成することによって、電磁波遮蔽層を形成することもある。
【００２４】
さらに、電磁波遮蔽層は、導電性の前記前方ケース１１０と連結されて接地される。前記前部ケース１１０は、一般的にアルミニウムのような導電性金属を含んで形成されるが、プラスチック射出液に金属パウダーや金属微細糸を混ぜた後、これを射出して形成した導電性プラスチックを利用して形成できる。また、前記前部ケース１１０と結合する前記後部ケース１２０は、前記前部ケース１１０と同じ材料から形成することが望ましい。但し、前記前部ケース１１０と前記後部ケース１２０とを導電性材料を含んで形成するのは接地の確保のためであるので、前述したことに限定されないだけでなく、非導電性材料からも前記前部ケース１１０を形成し得る。
【００２５】
また、図３に示すように、前記フィルタ用フィルム１６０に備えられた電磁波遮蔽層と前記前部ケース１１０との間には、遮蔽部材１８０を介在し得る。前記遮蔽部材１８０は、前記フィルタ用フィルム１６０と前記前部ケース１１０とが互いに対向する部分に沿って配置される。このような前記遮蔽部材１８０は、外部から前記ウィンドウ１１２を通じてホコリなどの異質物の内部空間への侵入を不可能にする機能を行うと共に、導電性に優れるため、前記フィルタ用フィルム１６０と前記前部ケース１１０とを電気的に連結する。特に、前記遮蔽部材１８０は、前記ＰＤＰ１５３と前記前部ケース１１０との間の加圧力によって前記ＰＤＰ１５３が損傷しないように、伸縮性のある材料を利用して形成することが望ましい。本実施例で、前記遮蔽部材１８０は、スポンジＥＭＩ（Ｅｌｅｃｔｒｏ Ｍａｇｎｅｔｉｃ Ｉｎｔｅｒｆｅｒｅｎｃｅ）より形成される。スポンジＥＭＩは、内部は伸縮性に優れるスポンジよりなり、外部は導電性物質より処理されて、導電性及び伸縮性に優れる。
【００２６】
したがって、前記フィルタ用フィルム１６０の電磁波遮蔽層によって捕獲された電磁波エネルギーは、前記遮蔽部材１８０を経由して前記前部ケース１１０、前記シャーシベース１３０に伝えられるか、または前記プラズマディスプレイ装置１００の外部に放出される。
【００２７】
前記フィルタ用フィルム１６０は、電磁波遮蔽層を覆う平坦化層を備えることが望ましい。電磁波遮蔽層の中央部は、メッシュ状を有するところ、前記メッシュは、前記ＰＤＰ１５３に備えられた蛍光体層から放出された光の干渉を誘発し得る。しかし、平坦化層は、メッシュによる光干渉を最小化し、電磁波遮蔽層が製造工程中に破損されることを防止する。
【００２８】
また、前記フィルタ用フィルム１６０は、近赤外線遮蔽層を備えることが望ましい。通常的に、前記ＰＤＰ１５３内に充填される放電ガスはＸｅを含むが、このＸｅは、放電時に近赤外線を放出する。近赤外線は、人体に有害であるだけでなく、隣接した電子機器の誤作動を誘発し得るので、遮蔽されることが望ましい。近赤外線遮蔽層は、近赤外線を吸収する成分を含む。また、前記フィルタ用フィルム１６０は、近赤外線遮蔽層上に乱反射を防止するための乱反射防止層をさらに備え得る。ここで、前記フィルタ用フィルム１６０に備えられた層の種類及び配置位置は、前述したことに限定されない。
【００２９】
このような前記フィルタ用フィルム１６０は、アクリル系などの接着液を利用して前記ＰＤＰ１５３の全面に付着される。
【００３０】
以下では、図４及び図５を参照して、第１実施例と異なる事項を中心に第２実施例を説明する。前述した図面と同じ参照符号は、同じ部材を表す。本実施例が第１実施例と異なる事項は、別途のフィルタホルダー２７０を備えるという点である。図５を参照すれば、前記遮蔽部材１８０と前部ケース２１０との間に前記フィルタホルダー２７０が介在されることである。前記フィルタホルダー２７０の中心部分には、前記前部ケース２１０と類似してウィンドウ２７３が形成され、前記ウィンドウ２７３が形成された部分の内側に前記遮蔽部材１８０が位置する。前記フィルタホルダー２７０は、上側及び下側のエッジ部分に水平方向に突出して延びる平坦部２７１が形成され、前記平坦部２７１には、貫通孔２７２が形成される。したがって、ネジ２７７によって前記ブラケット１５５と前記フィルタホルダー２７０とが結合される。このような前記フィルタホルダー２７０は、導電性材料を利用して形成することが望ましい。これは、前記フィルタホルダー２７０が前記遮蔽部材１８０を経由して前記フィルタ用フィルム１６０に備えられた電磁波遮蔽層に電気的に連結されることによって、接地機能を行うためである。特に、前記前部ケース２１０が導電性材料ではないプラスチック射出物より製作される場合、導電性の前記フィルタホルダー２７０が主要な接地の役割を行う。但し、前記導電性部材間に別途の非導電性部材を介在して電気的な役割を遮断することもある。
【００３１】
前記フィルタ用フィルム１６０、前記ＰＤＰ１５３、前記シャーシベース１３０、前記回路基板１４０を備える前記プラズマディスプレイモジュール１５０の構造及び作用は、前述した第１実施例と同じであるので、ここでは、省略する。
【００３２】
本発明は、図面に示された実施例を参考として説明してきたが、これは例示的なものに過ぎず、当業者ならば、これから多様な変形及び均等な他の実施例を行うことが可能であることが分かる。したがって、本発明の真の技術的保護範囲は、特許請求の範囲の技術的思想によって決定されねばならない。
【産業上の利用可能性】
【００３３】
本発明のプラズマディスプレイモジュール及びそれを備えるプラズマディスプレイ装置を採用すれば、重量が減少し、安定した接地が可能なディスプレイモジュール及びそれを備えるプラズマディスプレイ装置を製造できる。
【図面の簡単な説明】
【００３４】
【図１】従来の技術によるプラズマディスプレイ装置の部分断面図である。
【図２】本発明の第１実施例によるプラズマディスプレイ装置の分解斜視図である。
【図３】図２のＩＩＩ−ＩＩＩ線による部分断面図でである。
【図４】本発明の第２実施例によるプラズマディスプレイ装置の分解斜視図である。
【図５】図４のＶ−Ｖ線による部分断面図である。
【符号の説明】
【００３５】
１００  プラズマディスプレイ装置
１１０  前部ケース
１１１  結合ボス
１１２  ウィンドウ
１１５  内部空間
１２０  後部ケース
１３０  シャーシベース
１４０  回路基板
１４１  両面テープ
１４２  熱伝導シート
１４５  補強部材
１４７  部品
１５０  プラズマディスプレイモジュール
１５１  第１パネル
１５２  第２パネル
１５３  ＰＤＰ
１５５  ブラケット
１６０  フィルタ用フィルム
１６１  連結ケーブル
１６３  支持部材
１６６  ネジ
【図１】
2006091844.tif 000003
【図２】
2006091844.tif 000004
【図３】
2006091844.tif 000005
【図４】
2006091844.tif 000006
【図５】
2006091844.tif 000007